(57)【特許請求の範囲】
【請求項１】
楽器本体と、
この楽器本体に並列に配列された状態で上下方向に回転可能に設けられた光透過性を有する複数の鍵と、
この複数の鍵を開閉可能に覆う光透過性を有する鍵盤蓋と、
前記複数の鍵にその下側からそれぞれ光を照射する複数の発光素子と、
前記鍵盤蓋に設けられ、前記複数の発光素子でそれぞれ発光した光が前記複数の鍵をそれぞれ透過して照射された際に、その照射された光によって前記複数の鍵にそれぞれ対応する各鍵情報を光学的に表示する光表示部と、
を備えていることを特徴とする鍵盤装置。
【請求項２】
請求項１に記載の鍵盤装置において、
前記光表示部は、光透過性を有する複数の鍵情報表示部が前記複数の鍵にそれぞれ対応して設けられた表示層を備えていることを特徴とする鍵盤装置。
【請求項３】
請求項２に記載の鍵盤装置において、
前記光表示部は、前記複数の発光素子でそれぞれ発光した光が前記複数の鍵をそれぞれ透過して前記複数の鍵情報表示部にそれぞれ照射される際に、前記鍵を透過した光をその鍵に対応する前記鍵情報表示部にそれぞれ導くための導光層を備えていることを特徴とする鍵盤装置。
【請求項４】
請求項３に記載の鍵盤装置において、
前記導光層は、前記複数の鍵にそれぞれ対応する箇所に、光を透過する光透過部と光を透過しない光不透過部とがそれぞれ設けられていることを特徴とする鍵盤装置。
【発明の詳細な説明】
【技術分野】
【０００１】
この発明は、電子ピアノや電子オルガンなどの電子鍵盤楽器に用いられる鍵盤装置に関し、更に詳しくは演奏に応じて各鍵が光る鍵盤装置に関する。
【背景技術】
【０００２】
例えば、電子ピアノなどの鍵盤装置においては、特許文献１に記載されているように、鍵盤シャーシ上に複数の鍵を並列に配列させた状態で上下方向に回転可能に設けると共に、この鍵盤シャーシ上に各鍵の内部に光を照射させるための複数の発光素子を各鍵にそれぞれ対応させて設け、この複数の発光素子を順次発光させることにより、演奏に応じて押鍵すべき鍵を光らせて指示するナビゲーション機能を備えたものが知られている。
【先行技術文献】
【特許文献】
【０００３】
【特許文献１】特開２００１−３４２６８号公報
【発明の概要】
【発明が解決しようとする課題】
【０００４】
しかしながら、このような従来の鍵盤装置では、複数の発光素子を順次発光させることにより、演奏に応じて押鍵すべき鍵を光らせることができても、押鍵すべき鍵の音名などの鍵情報を表示させることができない。このため、鍵盤シャーシ上に並列に配列された複数の鍵の配列状態から、光っている鍵の音名などの鍵情報を演奏者自身が判断する必要があり、押鍵すべき鍵の音名などの鍵情報を教えることができない。
【０００５】
そこで、このような従来の鍵盤装置においては、複数の発光素子を順次発光させることにより、演奏に応じて押鍵すべき鍵を光らせた際に、その押鍵すべき鍵の音名などの鍵情報を表示させるために、各鍵にそれぞれ鍵情報表示部を設け、この鍵情報表示部を発光素子の光によって表示させるように構成したものも考えられている。
【０００６】
しかし、このように各鍵にそれぞれ鍵情報表示部を設けた従来の鍵盤装置では、鍵自体に音名などの鍵情報が表示されるため、どうしても鍵情報が表示された鍵の位置を覚えようとしてしまい、音名などの鍵情報を覚えることが疎外され易い。このため、音名などの鍵情報を教える際には、鍵が見えない状態で、押鍵すべき鍵の音名などの鍵情報を表示することが望ましい。
【０００７】
この発明が解決しようとする課題は、鍵が見えない状態で、押鍵すべき鍵の音名などの鍵情報を教えることができる鍵盤装置を提供することである。
【課題を解決するための手段】
【０００８】
この発明は、楽器本体と、この楽器本体に並列に配列された状態で上下方向に回転可能に設けられた光透過性を有する複数の鍵と、この複数の鍵を開閉可能に覆う光透過性を有する鍵盤蓋と、前記複数の鍵にその下側からそれぞれ光を照射する複数の発光素子と、前記鍵盤蓋に設けられ、前記複数の発光素子でそれぞれ発光した光が前記複数の鍵をそれぞれ透過して照射された際に、その照射された光によって前記複数の鍵にそれぞれ対応する各鍵情報を光学的に表示する光表示部と、を備えていることを特徴とする鍵盤装置である。
【発明の効果】
【０００９】
この発明によれば、複数の発光素子を順次発光させることにより、演奏に応じて押鍵すべき鍵を光らせることができると共に、この状態で鍵盤蓋を閉じて複数の鍵を覆った際には、複数の鍵をそれぞれ透過した発光素子の光が鍵盤蓋の光表示部に照射され、この光が照射された光表示部によって複数の鍵にそれぞれ対応する各鍵情報を光学的に表示させることができる。このため、鍵が見えない状態で、押鍵すべき鍵の音名などの鍵情報を教えることができる。
【図面の簡単な説明】
【００１０】
【図１】この発明を電子鍵盤楽器に適用した一実施形態において、鍵盤蓋を開いて鍵盤部を露出させた状態を示した平面図である。
【図２】図１に示された電子鍵盤楽器において、鍵盤蓋を閉じて鍵盤部を覆った状態を示した平面図である。
【図３】図２に示された電子鍵盤楽器の正面図である。
【図４】図２に示された電子鍵盤楽器のＡ−Ａ矢視における拡大断面図である。
【図５】図１に示された電子鍵盤楽器において、楽器本体と鍵盤蓋とを回転可能に連結するヒンジ部を拡大して示した要部の分解斜視図である。
【図６】図２に示された電子鍵盤楽器の鍵盤蓋において、その一部を段階的に破断して示した要部の拡大斜視図である。
【図７】図１に示された電子鍵盤楽器の一実施形態における変形例を示した電子鍵盤楽器の平面図である。
【図８】図７に示された電子鍵盤楽器の正面図である。
【図９】図７に示された電子鍵盤楽器において、鍵盤蓋を取り外した状態を示した平面図である。
【図１０】図７に示された電子鍵盤楽器の鍵盤蓋を斜め下側から見て示した斜視図である。
【発明を実施するための形態】
【００１１】
以下、図１〜図６を参照して、この発明を電子鍵盤楽器に適用した一実施形態について説明する。
この電子鍵盤楽器は、図１に示すように、楽器本体１を備えている。この楽器本体１には、複数の鍵２が配列された鍵盤部３と、この鍵盤部３を開閉可能に覆う光透過性を有する鍵盤蓋４とが、設けられている。また、この楽器本体１は、図４に示すように、下部ケースを兼ねる鍵盤シャーシ５と、鍵盤シャーシ５の後端部に設けられて鍵盤部３の後端部および両側部を覆う上部ケース６とで構成されている。
【００１２】
鍵盤部３は、図１および図４に示すように、鍵盤シャーシ５上に並列に配列されて上下方向にそれぞれ回転可能に取り付けられた光透過性を有する複数の鍵２と、この複数の鍵２にその押鍵動作に応じてそれぞれアクション荷重を付与する複数のハンマー部材７と、複数の鍵２の押鍵動作に応じてそれぞれオン信号を出力するスイッチ部８とを備えている。
【００１３】
この鍵盤部３を搭載する鍵盤シャーシ５は、図４に示すように、楽器本体１の下部ケースを構成するものであり、その前端部（図４では右端部）には、前脚部１０が底部から上方に突出して形成されている。この前脚部１０の前端部（図４では右端部）には、鍵２の前端面に対応する前カバー部１１が前部上方（図４では右側上方）に向けて更に突出して形成されている。また、この前脚部１０の上部には、鍵２の横振れを防ぐための鍵ガイド部１０ａが上方に突出して設けられている。
【００１４】
さらに、この鍵盤シャーシ５の前脚部１０における後部側（図４では左側）には、図４に示すように、後述する素子基板１２を搭載する第１基板搭載部１３が前脚部１０よりも少し高く形成されている。この第１基板搭載部１３の後部側（図４では左側）に位置する鍵盤シャーシ５の箇所には、後述する複数のハンマー部材７を支持するハンマー支持部１４が第１基板搭載部１３よりも低い高さで形成されている。
【００１５】
また、このハンマー支持部１４の後部側（図４では左側）に位置する鍵盤シャーシ１の箇所には、図４に示すように、立上り部１５が第１基板搭載部１３とほぼ同じ高さで形成されている。この立上り部１５には、複数のハンマー部材７の後部（図４では左側部）が鍵盤シャーシ５の前側から後側に向けて挿入する開口部１５ａが設けられている。
【００１６】
この立上り部１５の上部における後部側（図４では右側）に位置する鍵盤シャーシ５の箇所には、図４に示すように、スイッチ部８を搭載する第２基板搭載部１６が形成されている。この第２基板搭載部１６の上面には、スイッチ部８のスイッチ基板２２が取り付けられている。また、鍵盤シャーシ５の後部、つまり第２基板搭載部１６の後部側（図４では左側部）には、複数の鍵２を支持する鍵搭載部１７が前カバー部１１とほぼ同じ高さで形成されている。
【００１７】
さらに、鍵盤シャーシ５の鍵搭載部１７の後端部（図４では左端部）には、図４に示すように、鍵盤シャーシ５の後端部を支持する後脚部１８が、鍵盤シャーシ５の上部から底部に向けて垂下されている。なお、この後脚部１８の後端部には、上部ケース６が鍵盤シャーシ５の後端部側と鍵２の後端部側とを覆った状態で取り付けられている。また、この鍵盤シャーシ５の底部には、底板５ａが設けられている。
【００１８】
一方、複数の鍵２は、複数の白鍵と複数の黒鍵とを有している。この鍵２は、図４に示すように、その後部が鍵盤シャーシ５の鍵搭載部１７に設けられた鍵支持部１９の支持軸２０にそれぞれ上下方向に回転可能に取り付けられた構成になっている。この鍵２における前後方向のほぼ中間部には、鍵盤シャーシ５の第２基板搭載部１６上に取り付けられたスイッチ部８を押圧するためのスイッチ押圧部２１がそれぞれ下側に突出して形成されている。
【００１９】
この場合、スイッチ部８は、図４に示すように、スイッチ基板２２と、このスイッチ基板２２上に配置されたゴムシート２３を備えている。このゴムシート２３には、ドーム状の膨出部が鍵２の各スイッチ押圧部２１にそれぞれ対応して形成されている。このスイッチ部８は、ゴムシート２３の膨出部が各鍵２の各スイッチ押圧部２１によって押圧された際に、膨出部が弾性変形して、その内部の可動接点がスイッチ基板２２の固定接点（いずれも図示せず）に接触してオン信号を出力するように構成されている。
【００２０】
また、この鍵２における前端部とスイッチ押圧部２１との間には、図４に示すように、ハンマー部材７を上下方向に回転させるためのハンマー押圧部２４が下側に突出して形成されている。ハンマー部材７は、その後部に錘部２５ａを有するハンマー本体２５と、このハンマー本体２５の前部（図４では右側部）にそれぞれ設けられた軸受け部２６と、ハンマー本体２５の前部から斜め前側上方（図４では右上側）に突出して形成された鍵当接部２７とを備えている。
【００２１】
このハンマー部材７は、図４に示すように、ハンマー本体２５の後部（図４では左側部）が鍵盤シャーシ５の前側上方から立上り部１５の開口部１５ａに挿入され、この状態でハンマー本体２５の前部（図４では右側部）に設けられた軸受け部２６が、鍵盤シャーシ５のハンマー支持部１４の軸部１４ａに上下方向に回転自在に取り付けられることにより、ハンマー本体２５の前側上部の鍵当接部２７が、鍵盤シャーシ５のハンマー支持部１４の前側上方（図４では右側上方）に位置するように構成されている。
【００２２】
この場合、ハンマー部材７は、図４に示すように、鍵当接部２７が鍵２のハンマー押圧部２４に対応し、この鍵当接部２７が鍵２のハンマー押圧部２４に設けられた中空状の保持部２４ａ内に挿入されて摺動可能に保持され、この状態で鍵２が押鍵された際に、鍵当接部２７が鍵２のハンマー押圧部２４によって押し下げられることにより、ハンマー本体２５が軸部１４ａを中心に時計回りに回転するように構成される。
【００２３】
このため、ハンマー部材７は、図４に示すように、鍵２が押鍵されていない初期状態のときに、ハンマー本体２５がその自重で軸部１４ａを中心に反時計回りに回転し、ハンマー本体２５の後部が鍵盤シャーシ５の底板５ａに設けられた下限ストッパ部２８に当接して、ハンマー本体２５が下限位置に規制されるように構成されている。これにより、ハンマー部材７は、鍵当接部２６が鍵２のハンマー押圧部２４を押し上げて、鍵２を上方に押し上げることにより、鍵２を上限位置に規制するように構成されている。
【００２４】
また、このハンマー部材７は、鍵２が押鍵された際に、鍵２のハンマー押圧部２４によって、ハンマー部材７の鍵当接部２７が押し下げられると、ハンマー本体２５がその自重に抗して軸部１４ａを中心に時計回りに回転して、鍵２にアクション荷重を付与すると共に、ハンマー本体２５の後部が、鍵盤シャーシ５の鍵搭載部１７の下面に設けられた上限ストッパ部２９に当接して、ハンマー本体２５が上限位置に規制されることにより、鍵２を下限位置に規制するように構成されている。
【００２５】
ところで、鍵盤シャーシ５の第１基板搭載部１３上には、図１に示すように、素子基板１２が搭載されている。この素子基板１２は、鍵２の配列方向に沿って連続する帯状に形成されている。また、この素子基板１２は、接続ケーブル３０によってスイッチ部８のスイッチ基板２２と電気的に接続されている。このスイッチ基板２２と素子基板１２との各上面には、図４に示すように、複数の発光素子３１が各鍵２（つまり各白鍵および各黒鍵）にそれぞれ対応して設けられている。
【００２６】
この発光素子３１は、発光ダイオード（ＬＥＤ）からなり、図４に示すように、発光した光を鍵２の内部にその下側から照射するように構成されている。この場合、鍵２は、光透過性を有する合成樹脂、例えばアクリル樹脂（ＰＭＭＡ）やスチロール樹脂（ポリスチレン：ＰＳ）などの乳白色の合成樹脂からなり、図４に示すように、その下側に開放された中空状に形成されている。
【００２７】
一方、鍵盤蓋４は、図１〜図４に示すように、楽器本体１の上面に配置されて鍵盤部３を開閉可能に覆う平板状に形成されている。この鍵盤蓋４は、図１および図４に示すように、その後端部（図４では左端部）が楽器本体１の上部ケース６における上面の後端部（図４では左端部）にヒンジ部３２によって回転可能に取り付けられている。これにより、この鍵盤蓋４は、譜面が立て掛けられる譜面台を兼ねるように構成されている。
【００２８】
この場合、ヒンジ部３２は、図５に示すように、鍵盤蓋４の後端部（図５では下端部）に設けられた筒状部３２ａと、上部ケース６の後端部（図５では左上端部）に設けられて筒状部３２ａの両端部に位置する一対の軸受け部３２ｂと、この一対の軸受け部３２ｂと筒状部３２ａとを回転可能に連結する軸部３２ｃとを備えている。
【００２９】
すなわち、このヒンジ部３２は、図５に示すように、一対の軸受け部３２ｂの間に筒状部３２ａを配置し、この状態で一方の軸受け部３２ｂの軸孔３２d内に軸部３２ｃを差し込んで筒状部３２ａ内に挿入させ、この挿入した軸部３２ｃの端部を他方の軸受け部３２ｂの軸孔３２e内に差し込むことにより、鍵盤蓋４を楽器本体１の上部ケース６に回転可能に取り付けるように構成されている。
【００３０】
また、この鍵盤蓋４は、光透過性を有する合成樹脂、例えばＡＢＳ樹脂などの乳白色の合成樹脂からなっている。この鍵盤蓋４の内面（図４では下面）には、図３および図４に示すように、複数の発光素子３１がそれぞれ発光し、この発光した光が複数の鍵２をそれぞれ透過して照射された際に、その照射された光によって複数の鍵２にそれぞれ対応する各鍵情報を光学的に表示する光表示部３３が、鍵盤部３に対応した状態で埋め込まれている。
【００３１】
この光表示部３３は、図６に示すように、表示層３４と導光層３５とを積層した２層構造になっている。この表示層３４は、光を透過しない不透明部３４aを導光層３５の上面に、その所定箇所を除いて、設けたものである。すなわち、この表示層３４には、複数の鍵２にそれぞれ対応する複数の鍵情報表示部３６が、不透明な塗料からなる不透明部３４aをくり貫いた状態で、設けられている。
【００３２】
この場合、表示層３４は、光を透過しない不透明な塗料を導光層３５の上面に塗布して不透明部３４aを形成する際に、各鍵２に対応する各鍵情報表示部３６に対応する部分を除いて、不透明部３４aを形成することにより、各鍵情報表示部３６が不透明部３４aにくり貫かれた状態で形成された構成になっている。この場合、各鍵情報表示部３６は、図６に示すように、複数の鍵２の各音名を「ど、れ、み、ふぁ、そ、ら、し、＃ど」などの文字で表示されているが、これに限らず、５線の音符で表示しても良い。
【００３３】
また、導光層３５は、図６に示すように、複数の発光素子３１でそれぞれ発光した光が複数の鍵２をそれぞれ透過して複数の表示層３４にそれぞれ照射される際に、鍵２を透過した光をその鍵２に対応する箇所に位置する表示層３４の各鍵情報表示部３６にそれぞれ導くように構成されている。すなわち、この導光層３５は、鍵２の配列方向に沿って、光を透過する光透過部３５ａと光を透過しない光不透過部３５ｂとを交互に配列した構成になっている。
【００３４】
この場合、光不透過部３５ｂは、光を反射しない反射防止層であり、その下部側から斜めに入射した光を吸収するように構成されている。また、光透過部３５aの両側に位置する各光不透過部３５ｂの間隔Ｓは、図６に示すように、鍵２の配列方向における鍵２の長さ（鍵幅）Ｗに対して十分に短い長さ、例えば十数分の１の長さであり、１つの鍵２に対して光透過部３５ａと光不透過部３ｂとが交互に配列された状態で、十数個分が対応する長さに設定されている。
【００３５】
これにより、光表示部３３は、図６に示すように、複数の発光素子３１でそれぞれ発光した光が複数の鍵２をそれぞれ透過して導光層３５の下面に照射された際に、この照射された光を導光層３５の各光透過部３５ａによって表示層３４の下面に導き、この導いた光を表示層３４の各鍵情報表示部３６からそれぞれ放出させて鍵盤蓋４を光らせることにより、音名などの鍵情報を光学的に浮かび上がらせて表示するように構成されている。
【００３６】
次に、このような電子鍵盤楽器の作用について説明する。
この電子鍵盤楽器において複数の鍵２を順次押鍵して演奏する場合には、その演奏に応じて押鍵すべき鍵２に対応する発光素子３１を順次発光させる。すると、発光素子３１で発光した光が押鍵すべき鍵２に順次照射され、この照射された光によって押鍵すべき鍵２を順次光らせる。これにより、発光素子３１で発光した光によって押鍵すべき鍵２を光らせて指示することができるので、演奏者が初心者であっても、押鍵すべき鍵２を確認しながら、良好に演奏することができる。
【００３７】
また、押鍵すべき鍵２の音名などの鍵情報を教えたい場合には、鍵盤蓋４を閉じて鍵盤部３を覆った状態で、演奏に応じて押鍵すべき鍵２に対応する発光素子３１を順次発光させる。このときには、発光素子３１で発光した光が押鍵すべき鍵２に順次照射され、この照射された光が各鍵２を透過して鍵盤蓋４の光表示部３３に照射される。
【００３８】
すると、光表示部３３の導光層３５の下面に照射された光は、導光層３５の光透過部３５ａを透過して表示層３４の下面に照射され、この照射された光が表示層３４の各鍵情報表示部３６のみを透過して、この各鍵情報表示部３６に対応する箇所の鍵盤蓋４をそれぞれ光らせる。これにより、鍵盤蓋４に音名などの各鍵情報が順次浮き上がって表示される。このときには、鍵盤部３の複数の鍵２が鍵盤蓋４で覆われて見えないので、鍵２の位置を認識せずに、押鍵すべき鍵２の音名などの鍵情報のみを見ることができる。
【００３９】
この場合、導光層３５は、図６に示すように、鍵２の配列方向に沿って、光を透過する光透過部３５ａと光を透過しない光不透過部３５ｂとが交互に配列され、その間隔Ｓが、鍵２の配列方向における鍵２の長さ（鍵幅）Ｗに対して十分に短い長さであるから、押鍵すべき鍵２に対応する発光素子３１の光が、押鍵すべき鍵２に対応する箇所の表示層３４のみに照射され、これにより押鍵すべき鍵２に対応する鍵情報表示部３６のみに光を照射させることができる。
【００４０】
すなわち、押鍵すべき鍵２に対応する発光素子３１の光は、導光層３５によって押鍵すべき鍵２に隣接する鍵２に対応する箇所の表示層３４に照射されることがない。このため、光の漏れによる誤表示が軽減され、押鍵すべき鍵２に対応する箇所に位置する表示層３４の鍵情報表示部３６のみを光らせて、押鍵すべき鍵２に対応する鍵情報のみを良好に浮き上がらせて表示する。
【００４１】
この場合、導光層３５は、光を透過する光透過部３５ａと光を透過しない光不透過部３５ｂとが交互に配列され、且つこの光不透過部３５ｂが、光を反射しない反射防止層であるから、押鍵すべき鍵２に対応する発光素子３１の光が隣接する鍵２に対応する箇所の光表示部３３の導光層３５に照射される際に、その照射される光が導光層３５に斜めに入射しても、この斜めに入射した光が光不透過部３５ｂによって反射されずに吸収されるので、斜めに入射した光が光透過部３５ａを透過することがない。このため、光透過部３５aをほぼ垂直に透過した光のみによって、押鍵すべき鍵２に対応する鍵情報表示部３６の鍵情報のみが良好に表示される。
【００４２】
このように、この電子鍵盤楽器によれば、楽器本体１に並列に配列された状態で上下方向に回転可能に設けられた光透過性を有する複数の鍵２にその下側からそれぞれ光を照射する複数の発光素子３１と、複数の鍵２を開閉可能に覆う光透過性を有する鍵盤蓋４に設けられ、複数の発光素子３１でそれぞれ発光した光が複数の鍵２をそれぞれ透過して照射された際に、その照射された光によって複数の鍵２にそれぞれ対応する各鍵情報を光学的に表示する光表示部３３と、を備えているので、鍵２が見えない状態で、押鍵すべき鍵２の音名などの鍵情報を教えることができる。
【００４３】
すなわち、この電子鍵盤楽器では、複数の発光素子３１を順次発光させることにより、演奏に応じて押鍵すべき鍵２を光らせることができると共に、この状態で鍵盤蓋４を閉じて複数の鍵２を覆った際には、複数の鍵２をそれぞれ透過した発光素子３１の光が鍵盤蓋４の光表示部３３に照射されて、複数の鍵２にそれぞれ対応する各鍵情報を光学的に表示させることができる。このため、鍵２が見えない状態で、押鍵すべき鍵２の音名などの各鍵情報のみを見ることができるので、鍵２の配列状態を気にせずに、音名などの鍵情報のみが覚え易くなり、これにより音名などの鍵情報を良好に教えることができる。
【００４４】
この場合、光表示部３３は、光透過性を有する複数の鍵情報表示部３６が複数の鍵２にそれぞれ対応して設けられた表示層３４を備えているので、複数の鍵２をそれぞれ透過した発光素子３１の光が鍵盤蓋４の光表示部３３に照射された際に、その照射された光を各鍵情報表示部３６によってそれぞれ透過させることができ、これにより各鍵情報表示部３６の各鍵情報を確実に且つ良好に浮き上がらせて表示させることができる。
【００４５】
また、光表示部３３は、複数の発光素子３１でそれぞれ発光した光が複数の鍵２をそれぞれ透過して複数の鍵情報表示部３６にそれぞれ照射される際に、鍵２を透過した光をその鍵２に対応する各鍵情報表示部３６にそれぞれ導くための導光層３５を備えていることにより、押鍵すべき鍵２に対応する発光素子３１の光が、押鍵すべき鍵２に隣接する鍵２に対応する箇所の表示層３４に照射されるのを防ぐことができる。これにより、光の漏れによる誤表示を軽減することができると共に、押鍵すべき鍵２に対応する箇所の鍵情報表示部３６のみを光らせて、押鍵すべき鍵２に対応する鍵情報のみを良好に表示することができる。
【００４６】
この場合、導光層３５は、鍵２の配列方向に沿って、光を透過する光透過部３５ａと光を透過しない光不透過部３５ｂとが交互に配列されていることにより、押鍵すべき鍵２に対応する発光素子３１の光が隣接する鍵２に対応する箇所に位置する光表示部３３の導光層３５に照射される際に、その照射された光が導光層３５に斜めに入射しても、この斜めに入射した光を光不透過部３５ｂで吸収することができ、これにより斜めに入射した光が光透過部３５ａを透過することがないため、光の漏れによる誤表示を軽減して、押鍵すべき鍵２に対応する鍵情報のみを良好に浮き上がらせて表示することができる。
【００４７】
なお、上述した一実施形態では、鍵盤蓋４が楽器本体１にヒンジ部３２によって回転可能に取り付けられている場合について述べたが、これに限らず、例えば図７〜図１０に示す変形例のように、鍵盤蓋４０を楽器本体１の鍵盤部３上に着脱可能に配置するように構成しても良い。すなわち、この鍵盤蓋４０は、鍵盤部３のみを覆う光透過性を有する平板状に形成されている。
【００４８】
この場合、楽器本体１における鍵盤部３の周囲に対応する縁部には、鍵盤蓋４０の周囲の縁部が配置される一段低い段差部４１が設けられている。これにより、鍵盤蓋４０は、その周囲の縁部が楽器本体１の一段低い段差部４１上に配置されることにより、鍵盤部３のみを覆うように構成されている。また、この場合にも、鍵盤蓋４０は、光透過性を有する乳白色の合成樹脂からなっており、この鍵盤蓋４０の下面にも、上述した一実施形態と同様、光表示部３３が設けられている。
【００４９】
このような電子鍵盤楽器においても、複数の発光素子３１を順次発光させることにより、演奏に応じて押鍵すべき鍵２を光らせることができると共に、この状態で鍵盤蓋４０を閉じて複数の鍵２を覆った際には、複数の鍵２をそれぞれ透過した発光素子３１の光が鍵盤蓋４０の光表示部３３に照射されるので、この光表示部３３によって複数の鍵２にそれぞれ対応する各鍵情報をそれぞれ光学的に表示させることができる。このため、上述した一実施形態と同様、鍵２が見えない状態で、押鍵すべき鍵２の音名などの鍵情報を教えることができるほか、鍵盤蓋４０を別部品として単体で販売することができる。
【００５０】
なおまた、上述した一実施形態およびその変形例では、光表示部３３の表示層３４に設けられた鍵情報表示部３６が、不透明な塗料からなる不透明部３４aをくり貫くことによって形成されている場合について述べたが、これに限らず、例えば鍵情報表示部を透明または半透明な塗料で２色印刷によって形成した構成であっても良い。この場合、鍵情報表示部の塗料が着色されていれば、鍵情報表示部による鍵情報をカラーで表示することができる。
【００５１】
また、上述した一実施形態およびその各変形例では、光表示部３３の導光層３５における光不透過部３５bの間隔Sが、鍵２の配列方向における鍵２の長さ（鍵幅）Ｗに対して十分に短い長さである場合について述べたが、これに限らず、光不透過部３５bの間隔Sを、鍵２の配列方向における鍵２の長さ（鍵幅）Ｗで、且つ透過した光が隣接する鍵２に対応する箇所の導光層３５に入射しない程度に、光不透過部３５bの肉厚を鍵２の配列方向に厚く形成した構成であっても良い。
【００５２】
また、上述した変形例では、光表示部３３の導光層３５が、光透過部３５aと光不透過部３５bとを鍵２の配列方向に交互に配列させた構成である場合について述べたが、これに限らず、光不透過部３５bを升目状や格子状に形成しても良く、また光不透過部３５bを多数の六角形からなるハニカム形状に形成した構成であっても良い。
【００５３】
さらに、上述した一実施形態およびその各変形例では、鍵盤部３の複数の鍵２にその押鍵動作に応じてそれぞれアクション荷重を付与する複数のハンマー部材７を備えた構成である場合について述べたが、必ずしもハンマー部材７を用いた構成である必要はなく、例えば複数の鍵２の各後端部に肉厚の薄い屈曲部をそれぞれ形成し、この各屈曲部を鍵２の配列方向に連続する連結部にそれぞれ連結させ、この連結部を鍵盤シャーシ５上に取り付けて鍵盤部を構成した簡易型の電子鍵盤楽器にも適用することができる。
【００５４】
以上、この発明の一実施形態およびその各変形例について説明したが、この発明は、これらに限られるものではなく、特許請求の範囲に記載された発明とその均等の範囲を含むものである。
以下に、本願の特許請求の範囲に記載された発明を付記する。
【００５５】
（付記）
請求項１に記載の発明は、楽器本体と、この楽器本体に並列に配列された状態で上下方向に回転可能に設けられた光透過性を有する複数の鍵と、この複数の鍵を開閉可能に覆う光透過性を有する鍵盤蓋と、前記複数の鍵にその下側からそれぞれ光を照射する複数の発光素子と、前記鍵盤蓋に設けられ、前記複数の発光素子でそれぞれ発光した光が前記複数の鍵をそれぞれ透過して照射された際に、その照射された光によって前記複数の鍵にそれぞれ対応する各鍵情報を光学的に表示する光表示部と、を備えていることを特徴とする鍵盤装置である。
【００５６】
請求項２に記載の発明は、請求項１に記載の鍵盤装置において、前記光表示部は、光透過性を有する複数の鍵情報表示部が前記複数の鍵にそれぞれ対応して設けられた表示層を備えていることを特徴とする鍵盤装置である。
【００５７】
請求項３に記載の発明は、請求項２に記載の鍵盤装置において、前記光表示部は、前記複数の発光素子でそれぞれ発光した光が前記複数の鍵をそれぞれ透過して前記複数の鍵情報表示部にそれぞれ照射される際に、前記鍵を透過した光をその鍵に対応する前記鍵情報表示部にそれぞれ導くための導光層を備えていることを特徴とする鍵盤装置である。
【００５８】
請求項４に記載の発明は、請求項３に記載の鍵盤装置において、前記導光層は、前記複数の鍵にそれぞれ対応する箇所に、光を透過する光透過部と光を透過しない光不透過部とがそれぞれ設けられていることを特徴とする鍵盤装置である。
【符号の説明】
【００５９】
１  楽器ケース
２  鍵
３  鍵盤部
４、４０  鍵盤蓋
５  鍵盤シャーシ
６  上部ケース
３１  発光素子
３２  ヒンジ部
３３  光表示部
３４  表示層
３５  導光層
３５ａ  光透過部
３５ｂ  光不透過部
３６  鍵情報表示部
【図１】
0005716991.tif 000002
【図２】
0005716991.tif 000003
【図３】
0005716991.tif 000004
【図４】
0005716991.tif 000005
【図５】
0005716991.tif 000006
【図６】
0005716991.tif 000007
【図７】
0005716991.tif 000008
【図８】
0005716991.tif 000009
【図９】
0005716991.tif 000010
【図１０】
0005716991.tif 000011